(57)【要約】【課題】大気熱、あるいは太陽熱、あるいは風呂熱を熱源として給湯運転を行うヒートポンプ風呂給湯装置において、大気熱交換器を含む大気熱集熱回路の内容積が、風呂熱交換器を含む風呂熱回収回路の内容積より大きい場合は、風呂熱回収回路で給湯水の加熱運転を行う場合に冷媒量が過多となるため、ヒートポンプサイクルの高圧が異常に上昇し、機器の耐久性、運転効率の低下が課題となっていた。【解決手段】風呂熱回収回路１２で給湯加熱運転を行う場合に、冷媒量調節手段２０で、装置に充填した冷媒の一部を大気熱集熱回路１０に貯めて、冷媒量を給湯水の加熱運転に必要な量に調節することができるので、機器の効率と耐久性を向上させたヒートポンプ風呂給湯装置とすることができる。【選択図】　図１
2004053064.tif 000002
【特許請求の範囲】
【請求項１】
ヒートポンプサイクルを利用して大気熱あるいは太陽熱を集熱し給湯水の加熱を行う大気熱集熱回路と、ヒートポンプサイクルを利用して風呂の浴槽水の温熱を集熱し給湯水の加熱を行う風呂熱回収回路と、風呂熱回収回路の冷媒量を調節する冷媒量調節手段を備えたことを特徴とするヒートポンプ風呂給湯装置。
【請求項２】
冷媒量調節手段は、大気熱集熱回路に設けた減圧手段から構成されることを特徴とする請求項１記載のヒートポンプ風呂給湯装置。
【請求項３】
冷媒量調節手段は、少なくとも風呂熱回収回路に設けた回路開閉手段から構成されることを特徴とする請求項１または２記載のヒートポンプ風呂給湯装置。
【請求項４】
冷媒量調節手段は、少なくとも温度を基に制御されることを特徴とする請求項１〜３のいずれか１項に記載のヒートポンプ風呂給湯装置。
【請求項５】
冷媒量調節手段は、少なくとも風呂熱回収回路の圧力を基に制御されることを特徴とする請求項１〜４のいずれか１項に記載のヒートポンプ風呂給湯装置。
【発明の詳細な説明】
【０００１】
【発明の属する技術分野】
本発明は、大気熱や浴槽水の温熱などをヒートポンプサイクルの熱源として、冷媒で給湯水の加熱を行う装置に関するものである。
【０００２】
【従来の技術】
従来、この種のヒートポンプ風呂給湯装置としては、例えば、特開平７−７１８３９号公報に記載されているようなものがあった。図８は、前記公報に記載された従来のヒートポンプ風呂給湯装置を示すものである。
【０００３】
図８に示すヒートポンプ風呂給湯装置において、１は圧縮機、１ａ、１ｂ、１ｃは圧縮機１から吐出された冷媒が循環するヒートポンプ回路、２は貯水槽７の給湯水と圧縮機１から吐出された冷媒が熱交換する給湯熱交換器、３ａ、３ｂ、３ｃ、３ｄ、３ｅ、３ｆはヒートポンプ回路１ａ、１ｂ、１ｃに設置して、ヒートポンプ回路を切り替える回路切替弁、４ａ、４ｂは減圧手段、５は浴槽８の浴槽水とヒートポンプ回路１ａを循環する冷媒が熱交換する風呂熱交換器、６は大気とヒートポンプ回路１ｃの冷媒が熱交換する大気熱交換器である。
【０００４】
上記構成において、浴槽８の浴槽水の温熱をヒートポンプサイクルの熱源として利用し、貯水槽７の給湯水を冷媒で加熱する運転は、回路切替弁３ａ、３ｄを開放し、ヒートポンプ回路１ａの冷媒で、風呂熱交換器５を介して浴槽８の残湯の温熱を集熱し、給湯熱交換器２で水を加熱することで行う。
【０００５】
【発明が解決しようとする課題】
しかしながら、前記従来の構成において、ヒートポンプを利用して大気熱を集熱し、給湯水の加熱運転を行う大気熱集熱回路の冷媒側の内容積（圧縮機、大気熱交換器、冷媒接続配管等の内容積）と、ヒートポンプを利用して風呂の浴槽水の温熱を集熱し、給湯水の加熱を行う風呂熱回収回路の冷媒側の内容積（圧縮機、風呂熱交換器、冷媒接続配管等の内容積）に差がある場合や、大気熱集熱回路で給湯水の加熱運転を行うときの冷媒低圧側の温度と、風呂熱回収回路で給湯水の加熱運転を行うときの冷媒低圧側の温度に差がある場合は、それぞれの回路で給湯水の加熱運転を行う場合に必要な冷媒量が異なるため、以下のような課題があった。
【０００６】
例えば、大気熱集熱回路の方が冷媒側の内容積が大きい場合に、機器に充填する冷媒量を大気熱集熱回路で給湯水の加熱運転を行うときに必要な量と定めた場合は、風呂熱回収回路で給湯水の加熱運転を行うと、冷媒量が過多となり、ヒートポンプサイクルの高圧が異常に上昇するので、機器の耐久性、運転効率の低下するという課題があった。
【０００７】
また、機器に充填する冷媒量を風呂熱回収回路で給湯水の加熱運転を行うときに必要な量とした場合は、大気熱集熱回路で給湯水の加熱運転を行うと、冷媒量が過少となり、冷媒の温度が異常に上昇するので、機器の耐久性、運転効率が低下するという課題があった。
【０００８】
本発明は、前記従来の課題を解決するもので、風呂熱回収回路で給湯水の加熱運転を行う場合に冷媒量が過多となっても、給湯水の加熱運転を高効率に行い、機器の耐久性を向上させたヒートポンプ風呂給湯装置を提供することを目的とする。
【０００９】
【課題を解決するための手段】
本発明は上記課題を解決するために、ヒートポンプサイクルを利用して大気熱、あるいは太陽熱を集熱し給湯水の加熱を行う大気熱集熱回路と、ヒートポンプサイクルを利用して風呂の浴槽水の温熱を集熱し給湯水の加熱を行う風呂熱回収回路と、風呂熱回収回路の冷媒量を調節する冷媒量調節手段を備えたことを特徴とするヒートポンプ風呂給湯装置としたものである。
【００１０】
これによって、風呂熱回収回路で給湯水の加熱運転を行う場合に、装置に充填した冷媒の一部を冷媒量調節手段で大気熱集熱回路に貯めて、風呂熱回収回路の冷媒量を給湯水の加熱運転に必要な量に調節する。
【００１１】
【発明の実施の形態】
請求項１に記載の発明は、ヒートポンプサイクルを利用して大気熱あるいは太陽熱を集熱し給湯水の加熱を行う大気熱集熱回路と、ヒートポンプサイクルを利用して風呂の浴槽水の温熱を集熱し給湯水の加熱を行う風呂熱回収回路と、風呂熱回収回路の冷媒量を調節する冷媒量調節手段を備えたことを特徴とするヒートポンプ風呂給湯装置とすることにより、風呂熱回収回路で給湯水の加熱運転を行う場合に、装置に充填した冷媒の一部を冷媒量調節手段で大気熱集熱回路に貯めて、風呂熱回収回路の冷媒量を給湯水の加熱運転に必要な量に調節することができるので、ヒートポンプサイクルの高圧の異常上昇を抑え、機器の効率と耐久性が向上したヒートポンプ風呂給湯装置とすることができる。
【００１２】
請求項２に記載の発明は、冷媒量調節手段は、大気熱集熱回路に設けた減圧手段から構成されることを特徴とする請求項１記載のヒートポンプ風呂給湯装置とすることにより、風呂熱回収回路で給湯水の加熱運転を行う場合に、装置に充填した冷媒の一部を冷媒量調節手段である減圧手段で大気熱集熱回路に貯めて、風呂熱回収回路の冷媒量を給湯水の加熱運転に必要な量に調節することができるので、ヒートポンプサイクルの高圧の異常上昇を抑え、既存の減圧手段を利用して安価で機器の効率と耐久性が向上したヒートポンプ風呂給湯装置とすることができる。
【００１３】
請求項３に記載の発明は、冷媒量調節手段は、少なくとも風呂熱回収回路に設けた回路開閉手段から構成されることを特徴とする請求項１または２記載のヒートポンプ風呂給湯装置とすることにより、風呂熱回収回路で給湯水の加熱運転を行う場合に、装置に充填した冷媒の一部を冷媒量調節手段である回路開閉手段と減圧手段で大気熱集熱回路に貯めて、風呂熱回収回路の冷媒量を給湯水の加熱運転に必要な量に調節することができるので、ヒートポンプサイクルの高圧の異常上昇を抑え、機器の効率と耐久性が向上したヒートポンプ風呂給湯装置とすることができる。
【００１４】
請求項４に記載の発明は、冷媒量調節手段は、少なくとも温度を基に制御されることを特徴とする請求項１〜３のいずれか１項に記載のヒートポンプ風呂給湯装置とすることにより、風呂熱回収回路で給湯水の加熱運転を行う場合に、装置に充填した冷媒の一部を大気熱集熱回路の温度を基に冷媒量調節手段で大気熱集熱回路に貯めて、風呂熱回収回路の冷媒量を給湯水の加熱運転に最適な量に調節することができるので、ヒートポンプサイクルの高圧の異常上昇を抑え、機器の効率と耐久性が更に向上させたヒートポンプ風呂給湯装置とすることができる。
【００１５】
請求項５に記載の発明は、冷媒量調節手段は、少なくとも風呂熱回収回路の圧力を基に制御されることを特徴とする請求項１〜４のいずれか１項に記載のヒートポンプ風呂給湯装置とすることにより、風呂熱回収回路で給湯加熱運転を行う場合に、装置に充填した冷媒の一部を風呂熱回収回路の圧力を基に冷媒量調節手段で大気熱集熱回路に貯めて、風呂熱回収回路の冷媒量を給湯水の加熱運転に必要な量に調節することができるので、ヒートポンプサイクルの高圧の異常上昇を抑え、機器の効率と耐久性が向上したヒートポンプ風呂給湯装置とすることができる。
【００１６】
【実施例】
以下、本発明の実施例について図面を用いて説明する。
【００１７】
（実施例１）
図１は、本発明の第１の実施例におけるヒートポンプ風呂給湯装置の構成図を示すものである。図１において、９は減圧手段、１０は圧縮機１、給湯熱交換器２、減圧手段９、大気熱交換器６、逆止手段１３ａを順に閉回路となるように接続する大気熱集熱回路、１１は減圧手段、１２は圧縮機１、給湯熱交換器２、減圧手段１１、風呂熱交換器５、逆止手段１３ｂを閉回路となるように接続する風呂熱回収回路、１４は給湯水回路、１５は貯水槽７の給湯水を給湯熱交換器２の間で循環させる水ポンプ、１６は浴槽８の浴槽水が循環する浴槽水回路、１７は浴槽９の浴槽水を風呂熱交換器５の間で循環させる浴槽水ポンプ、１８は回路開閉手段、１９は冷媒量調節回路、２０は冷媒量調節回路である。冷媒量調節手段２０は、風呂熱回収回路１２の冷媒量を調節するために、回路開閉手段１８を制御して冷媒を大気熱集熱回路１０に流入させるものである。本実施例において、減圧手段９は閉止機能を有する減圧幅が変更可能な電動式膨張弁とした。
【００１８】
以上のように構成されたヒートポンプ風呂給湯装置について、以下その動作、作用を説明する。
【００１９】
図１の構成において、大気熱集熱回路１０で、大気熱をヒートポンプサイクルの熱源として給湯水の加熱運転を行うときは、以下のように行う。圧縮機１から吐出された高温高圧の冷媒を、給湯熱交換器２で給湯水と熱交換させて冷媒が保有する熱エネルギーを給湯水へ放熱させる。その後、減圧手段９で減圧して低温低圧となった冷媒に大気熱交換器６を介して大気熱を吸熱させ、圧縮機１に吸入させる。給湯熱交換器２で冷媒から加熱されて高温となった給湯水は貯水槽７に貯湯される。
【００２０】
風呂熱回収回路１２で、浴槽８の浴槽水の温熱をヒートポンプサイクルの熱源として給湯水の加熱運転を行うときは、以下のように行う。ヒートポンプサイクルの熱源となる浴槽８の浴槽水を風呂ポンプ１４を動作させて風呂熱交換器５へ搬送し、圧縮機１を駆動させる。圧縮機１から吐出された高温高圧の冷媒を、給湯熱交換器２で給湯水と熱交換させて冷媒が保有する熱エネルギーを給湯水へ放熱させる。その後、減圧手段１１を通過して風呂熱交換器５へ流入した低温低圧の冷媒は、風呂熱交換器５に流入した浴槽水と熱交換して、浴槽水の温熱を吸熱し、圧縮機１へ吸入される。
【００２１】
ヒートポンプサイクルは熱源となる浴槽水の温度が高いほど、ヒートポンプサイクルの効率が高くなるので、入浴後の比較的高温の浴槽水（約４０℃程度）を熱源とすることによって、給湯水の加熱を高効率に行うことができる。また、入浴後の比較的高い浴槽水と冷媒を風呂熱交換器５で熱交換させると、蒸発した冷媒の加熱度を大きくすることができる。従って、圧縮機１で吐出する冷媒の高温化が容易となり、給湯水の高温加熱を高効率に行うことができる。また、大気熱をヒートポンプサイクルの熱源として給湯水の加熱運転を行っているとき、外気温度が低いときは着霜による効率低下が発生していたが、浴槽水を熱源とすることによって、着霜等の効率低下の要因を排除することができる。
【００２２】
機器の運転を行うときに必要な冷媒量は、ヒートポンプサイクルを構成する冷媒部品（圧縮機、冷媒配管、熱交換器）の内容積に比例するため、大気熱集熱回路１０と風呂熱回収回路１２の冷媒側の内容積を比較して、大気熱集熱回路１０の方が大きい場合、大気熱集熱回路１０で給湯水の加熱運転を行うときの方がより多くの冷媒量が必要となる。機器に充填する冷媒量を、大気熱集熱回路１０で給湯水の加熱運転を高効率に行う量に定めた場合、風呂熱回収回路１２で給湯水の加熱運転を行うと、風呂熱回収回路１２の冷媒量が過多となり、ヒートポンプサイクルの高圧が異常上昇するため機器の効率と耐久性が低下する。
【００２３】
そこで、冷媒量調節手段２０で回路開閉手段１８を制御し、風呂熱回収回路１２の冷媒の一部を冷媒量調節回路１９より大気熱集熱回路１０に流入させると、風呂熱回収回路１２の冷媒量を減らすことできる。逆止手段１３ａの下流側には、風呂熱回収回路１２の低圧側の圧力が作用するため、逆止手段１３ａの上流側の圧力＝風呂熱回収回路１２の低圧側の圧力、となるまで大気熱集熱回路１０に冷媒を貯めることができる。従って、ヒートポンプサイクルの高圧の異常上昇を抑制することができる。
【００２４】
以上のように、本実施例においては、回路開閉手段１８、冷媒量調節回路１９から構成される冷媒量調節手段２０を設置し、風呂熱回収回路１２を用いて、給湯水の加熱運転を行うときは、風呂熱回収回路１２の冷媒の一部を冷媒量調節回路１９より大気熱集熱回路１０に貯めて、風呂熱回収回路１２の冷媒量を必要な量に調節することができるので、ヒートポンプサイクルの高圧の異常上昇を抑制して機器の効率と耐久性を向上させたヒートポンプ風呂給湯装置とすることができる。
【００２５】
また、図２に示すように、冷媒量調節手段１９を、減圧手段９と減圧手段９を制御する制御手段２１から構成される冷媒量調節手段２２に置き換えた場合であっても同様の効果を得ることができる。即ち、風呂熱回収回路１２で給湯水の加熱運転を行うときは、制御手段２１により減圧手段９を制御することによって、風呂熱回収回路１２の冷媒の一部を減圧手段９より大気熱集熱回路１０に貯めて、風呂熱回収回路１２の冷媒量を必要な量に調節することができる。また、冷媒量調節手段２２は減圧手段９で構成するとしたことから、大気熱集熱回路１０に既設の減圧手段がある場合はこれを用いて、安価に機器の高効率化と耐久性向上を図ることができる。
【００２６】
また、本実施例において、減圧手段９は冷媒の減圧幅が自由に可変できるように電動式膨張弁としているが、電動膨張弁の替わりに減圧手段をキャピラリーチューブとした場合は、回路の閉止ができないので冷媒が高低圧差を利用して勝手に大気熱集熱回路１０に流入してしまう。従って、これに回路開閉手段を付加して回路開閉手段を開閉することによって、風呂熱回収回路１２の冷媒量を調節することができる。また、減圧手段である電動膨張弁に回路の閉止機能を備えていない場合は、電動膨張弁の前後に回路の全閉機能を持つ回路開閉手段を備えて回路開閉手段を開閉することによって、風呂熱回収回路１２の冷媒量を調節することができる。
【００２７】
尚、本実施例において、大気熱集熱回路１０と風呂熱回収回路１２の冷媒側の内容積を比較して、大気熱集熱回路１０の方が大きい場合を例に示したが、一般的に、冷媒対空気の熱交換器（大気熱交換器）と冷媒対水の熱交換器（風呂熱交換器）を比較した場合、空気と水に関して密度と比エンタルピーの関係から冷媒対水の熱交換器の方がコンパクトになる。しかしながら、大気熱集熱回路１０と風呂熱回収回路１２の冷媒側の内容積を比較して、風呂熱回収回路１２の方が大きい場合は、冷媒量調節手段２２は減圧手段１１を制御し、大気熱集熱回路１０の冷媒の一部を減圧手段１１より風呂熱回収回路１２に貯めることとすると、大気熱集熱回路１０の冷媒量を必要な量とすることができるので、機器の効率と耐久性を向上させたヒートポンプ風呂給湯装置とすることができる。
【００２８】
（実施例２）
図３は、本発明の第２の実施例におけるヒートポンプ風呂給湯装置の構成図を示すものである。図３において、２３ａは大気熱集熱回路１０に設けた回路開閉手段、２３ｂは風呂熱回収回路１２に設けた回路開閉手段、２４は制御手段、２５は冷媒量調節手段である。冷媒量調節手段２５は、風呂熱回収回路１２の冷媒量を調節するために、制御手段２１を介して減圧手段９と回路開閉手段２３ａ、２３ｂを制御するものである。図３の構成において、回路開閉手段２３ａ、２３ｂは図２の逆止手段１３ａ、１３ｂを置換したものである。
【００２９】
以上のように構成されたヒートポンプ風呂給湯装置について、以下その動作、作用を説明する。
【００３０】
図３の構成においても、実施例１で示したように、大気熱集熱回路１０と風呂熱回収回路１２の内容積を比較して、大気熱集熱回路１０の内容積が大きい場合、風呂熱回収回路１２を用いて給湯水の加熱運転を行うと、冷媒過多となり、ヒートポンプサイクルの高圧が異常に上昇する。このとき、冷媒量調節手段２９を用いて回路開閉手段２３ａを閉鎖し、風呂熱回収回路１２の冷媒の一部を減圧手段９より大気熱集熱回路１０に流入させると、風呂熱回収回路１２の冷媒量を減らすことが可能となり、ヒートポンプサイクルの高圧の異常上昇を抑制することができる。また、風呂熱回収回路１２の冷媒を大気熱集熱回路１０へ貯めすぎた場合、あるいは、風呂熱交換器５の温度条件の変化により冷媒量を増やす必要がある場合は、回路開閉手段２３ａを開放することによって、大気熱集熱回路１０の冷媒を風呂熱回収回路１２へ戻すことができる。
【００３１】
また、大気熱集熱回路１０で給湯水の加熱運転を行う場合は、回路開閉手段２３ｂを閉鎖する。従って、給湯水の加熱運転に必要な冷媒が風呂熱回収回路１２に流入しないので、圧縮機１から吐出される冷媒温度の異常上昇を抑制できるとともに、機器の効率と耐久性を向上させることができる。
【００３２】
また、図４に示すように、大気熱集熱回路１０に回路開閉手段２３ａを設置せずとも、風呂熱回収回路１２の回路開閉手段２３ｂを通過した冷媒の一部が大気熱集熱回路１０に逆流するので、風呂熱回収回路１２の冷媒量を減らすことが可能となる。従って、ヒートポンプサイクルの高圧の異常上昇を抑制することができ、風呂熱回収回路１２を用いて給湯水の加熱運転を高効率に行うことができる。
【００３３】
以上のように、本実施例においては、回路開閉手段２３ａ、２３ｂを設置し、回路開閉手段２３ａ、２３ｂの開閉制御により風呂熱回収回路１２の冷媒を大気熱集熱回路１０に貯めることができるので、ヒートポンプサイクルの高圧の異常上昇が抑制され、機器の効率と耐久性が向上したヒートポンプ風呂給湯装置とすることができる。
【００３４】
（実施例３）
図５は、本発明の第３の実施例におけるヒートポンプ風呂給湯装置の構成図を示すものである。図５において、２６は風呂熱回収回路１２の温度を検知する温度検知手段、２７は減圧手段９を制御する制御手段、２８は冷媒量調節手段である。冷媒量調節手段２８は風呂熱回収回路１２の冷媒量を調節するために、温度検知手段２６の検知した温度を基に、制御手段２７を介して減圧手段９を制御するものである。
【００３５】
以上のように構成されたヒートポンプ風呂給湯装置について、以下その動作、作用を説明する。
【００３６】
図５の構成においても、実施例１で示したように、大気熱集熱回路１０と風呂熱回収回路１２の内容積を比較して、大気熱集熱回路１０の内容積が大きい場合、風呂熱回収回路１２を用いて給湯水の加熱運転を行うと、冷媒過多となり、ヒートポンプサイクルの高圧が異常に上昇する。このとき、冷媒量調節手段２８を用いて、風呂熱回収回路１２の冷媒の一部を減圧手段９より大気熱集熱回路１０に流入させると、風呂熱回収回路１２の冷媒量を減らすことが可能となり、ヒートポンプサイクルの高圧の異常上昇を抑制することができる。
【００３７】
風呂熱回収回路１２で給湯水の加熱運転を行う場合に必要な冷媒量は、風呂熱回収回路１２の低圧側の冷媒圧力に大きく左右され、冷媒の圧力と比容積の関係から低圧が高くなるほど多くの冷媒量を必要とする。低圧側の冷媒圧力は、風呂熱交換器５に流入出する冷媒、あるいは浴槽水の温度によって左右されるから、風呂熱回収回路１２で給湯水の加熱運転を行う場合に必要な冷媒量は、風呂熱交換器５に流入出する冷媒、あるいは浴槽水の温度によって決定することが可能となる。従って、冷媒量調節手段２８は風呂熱回収回路１２の冷媒量を調節するために、風呂熱回収回路１２の温度検知手段２６の検知した温度を基に、制御手段２７を介して減圧手段９を制御することによって、最適な冷媒量で給湯の加熱運転を行うことができる。
【００３８】
図６は、図５の構成に大気熱集熱回路１０の温度を検知する温度検知手段２９を設置し、冷媒量調節手段３１は風呂熱回収回路１２の冷媒量を調節するために、温度検知手段２６、２９の検知した温度を基に、制御手段３０を介して減圧手段９を制御するものである。
【００３９】
風呂熱回収回路１２の冷媒を大気熱集熱回路１０に貯めることが可能な条件は、逆止手段１３ａの下流側の圧力が上流側の圧力より高い場合であって、風呂熱回収回路１２の低圧側の圧力が大気熱集熱回路１０の低圧側の圧力より高いである。風呂熱回収回路１２と大気熱集熱回路１０の圧力の高低差は、両回路の温度差に比例するので、温度検知手段２３が検知した温度Ｔ１と温度検知手段２６の検知した温度Ｔ２を比較し、Ｔ１＜Ｔ２のときは風呂熱回収回路１２の冷媒を大気熱集熱回路１０に流入させることが可能なので、冷媒量調節手段２８を操作して風呂熱回収回路１２の冷媒を減らす。Ｔ１＞Ｔ２となるときは、風呂熱回収回路１２の冷媒を大気熱集熱回路１０に溜めることが不可能なので、冷媒流調節手段２８を操作して風呂熱回収回路１２の冷媒を減らす操作を停止させる。
【００４０】
以上のように、本実施例においては、冷媒量調節手段２８、３１を設置し、温度検知手段２６、２９の検知した温度を基に、風呂熱回収回路１２の冷媒の一部を減圧手段９より大気熱集熱回路１０に貯めるので、風呂熱回収回路１２の冷媒量を精度良く必要な量とすることができる。従って、機器の効率と耐久性をさらに向上させたヒートポンプ風呂給湯装置とすることができる。
【００４１】
尚、本実施例において、温度を検知して冷媒量調節手段２８、３１を制御するとしたが、両回路の圧力を検知する圧力検知手段を備えていれば、この圧力検知手段の検知した圧力を基に、冷媒量調節手段２８、３１を制御することもできる。
【００４２】
尚、図５において、温度検知手段２６の位置を風呂熱交換器５の冷媒側出口としているが、風呂熱交換器５の冷媒側入口、または、風呂熱交換器５の浴槽水側出口、または、風呂熱交換器５の浴槽水側入口としても同じく、冷媒量調節手段２８の制御情報として利用することができる。また、図６において、温度検知手段２９の位置を大気熱交換器６の冷媒側出口としているが、大気熱交換器６の冷媒側入口、または、外気温度としても同じく、冷媒量調節手段３１の制御情報として利用することができる。
【００４３】
（実施例４）
図７は、本発明の第４の実施例におけるヒートポンプ風呂給湯装置の構成図を示すものである。図７において、３２は風呂熱回収回路１２の高圧側の圧力を検知する圧力検知手段、３３は減圧手段９を制御する制御手段、３４は冷媒量調節手段である。冷媒量調節手段３４は風呂熱回収回路１２の冷媒量を調節するために、圧力検知手段３２の検知した圧力を基に、制御手段３３を介して減圧手段９を制御するものである。
【００４４】
以上のように構成されたヒートポンプ風呂給湯装置について、以下その動作、作用を説明する。
【００４５】
図７の構成においても、実施例１で示したように、大気熱集熱回路１０と風呂熱回収回路１２の内容積を比較して、大気熱集熱回路１０の内容積が大きい場合、風呂熱回収回路１２を用いて給湯水の加熱運転を行うと、冷媒過多となり、ヒートポンプサイクルの高圧が高くなるため、冷媒量調節手段３４を用いて、風呂熱回収回路１２の冷媒の一部を減圧手段９より大気熱集熱回路１０に貯める必要がある。そこで、圧力検知手段３２で検知するヒートポンプサイクルの高圧が高くなった場合は、冷媒量調節手段３４を用いて風呂熱回収回路１２の冷媒の一部を大気熱集熱回路１０に流入させると、ヒートポンプサイクルの高圧を下げることができる。
【００４６】
また、給湯熱交換器２で加熱する給湯水の温度が異常に上昇するような事態になった場合は、風呂熱回収回路１２の冷媒量が適切な量であっても、風呂熱回収回路１２の高圧側の冷媒圧力が異常上昇し、装置の耐久性を低下させる。このような場合となっても、圧力検知手段３２でヒートポンプサイクルの圧力の異常上昇を検知し、冷媒量調節手段３４で風呂熱回収回路１２の冷媒の一部を大気熱集熱回路１０に流入させるので、ヒートポンプサイクルの異常上昇を回避することができる。
【００４７】
以上のように、本実施例においては、圧力検知手段３２などを設置し、冷媒量調節手段３４は、圧力検知手段３２で検知するヒートポンプサイクルの高圧が高くなった場合は、風呂熱回収回路１２の冷媒の一部を大気熱集熱回路１０に流入させて貯めるため、ヒートポンプサイクルの高圧を下げることができる。従って、機器の効率と耐久性を向上させたヒートポンプ風呂給湯装置とすることができる。
【００４８】
尚、本各実施例において、使用する冷媒としては、自然冷媒、ＨＦＣ冷媒等種々の物が利用できる。
【００４９】
【発明の効果】
以上のように、本発明によれば、風呂熱回収回路で給湯加熱運転を行う場合に、冷媒量調節手段で、装置に充填した冷媒の一部を大気熱集熱回路に貯めて、給湯水の加熱運転に必要な冷媒量に調節することができるので、機器の効率と耐久性を向上させたヒートポンプ風呂給湯装置とすることができる。
【図面の簡単な説明】
【図１】本発明の実施例１におけるヒートポンプ風呂給湯装置の構成図
【図２】同実施例におけるヒートポンプ風呂給湯装置の構成図
【図３】本発明の実施例２におけるヒートポンプ風呂給湯装置の構成図
【図４】同実施例におけるヒートポンプ風呂給湯装置の構成図
【図５】本発明の実施例３におけるヒートポンプ風呂給湯装置の構成図
【図６】同実施例におけるヒートポンプ風呂給湯装置の構成図
【図７】本発明の実施例４におけるヒートポンプ風呂給湯装置の構成図
【図８】従来のヒートポンプ風呂給湯装置の構成図
【符号の説明】
１　圧縮機
２　給湯熱交換器
５　風呂熱交換器
６　大気熱交換器
７　貯水槽
８　浴槽
９、１１　減圧手段
１０　大気熱集熱回路
１２　風呂熱回収回路
１３ａ、１３ｂ　逆止手段
１９　冷媒量調節回路
２１、２４、２７、３０，３３　制御手段
２０、２２、２５、２８、３１、３４　冷媒量調節手段
２３ａ、２３ｂ　回路開閉手段
２６、２９　温度検知手段
３２　圧力検知手段
【図１】
2004053064.tif 000003
【図２】
2004053064.tif 000004
【図３】
2004053064.tif 000005
【図４】
2004053064.tif 000006
【図５】
2004053064.tif 000007
【図６】
2004053064.tif 000008
【図７】
2004053064.tif 000009
【図８】
2004053064.tif 000010